(57)【特許請求の範囲】
【請求項１】
前面側に所定の遊技領域が形成された遊技盤を保持する枠部材と、
前記枠部材の前面側に開閉自在に設けられ、前記枠部材の少なくとも一部を覆う閉止位置と、当該一部を開放する開放位置との間で揺動する開閉部材と、
前記枠部材の前面側に設けられて、遊技球を前記遊技領域に向けて打ち出す発射ユニットと、を備える弾球遊技機であって、
前記発射ユニットは、
遊技球を球送りする球送り機構と、
前記球送り機構から球送りされた遊技球を発射レールに沿って前記遊技領域へ向けて打ち出す発射機構と、
前記発射機構の側に設けられるケース本体と当該ケース本体に開閉可能に取り付けられて前記球送り機構の側に設けられるケース蓋とを有するケース部材と、を備えて構成され、
前記発射レールに近接して、前記球送り機構から前記発射機構へ通された糸状体を受容して切断可能な切断部材が前記ケース蓋によって前面側から覆われた状態で設けられ、前記切断部材の主面の少なくとも一部が遊技球の発射軌道に対して略平行となるよう配置されていることを特徴とする弾球遊技機。
【発明の詳細な説明】
【技術分野】
【０００１】
本発明は、パチンコ機等の弾球遊技機に関し、さらに詳しくは、入賞口に入球した遊技球を不正に操作して連続的に遊技球の入賞を検出させる不正行為を防止するように構成した弾球遊技機に関する。
【背景技術】
【０００２】
弾球遊技機の代表例であるパチンコ機には、前面に遊技領域を形成する遊技盤を立設姿勢で収容保持した前枠に、前面に遊技球の処理経路を一体に設けるとともに、背面に各種制御基板が取り付けられる裏セット盤を取り付けて構成され、発射装置により遊技領域上部に導いた遊技球を落下させる過程で遊技領域内に設けた各種の入賞装置に入賞させる遊技を行うように構成されている。このようなパチンコ機では、遊技球が一般入賞装置に入球した場合にはそれに対応した個数の賞球が払い出され、始動入賞装置に入球した場合にはこれに基づいて当り外れや演出パターンの抽選が行われるとともに所定個数の賞球が払い出されるようになっている。この抽選に当選して大当たりが発生したときには、遊技者に有利な特別遊技状態に移行して、一般にアタッカーと称される大入賞装置の入賞口が複数回連続的に開放し、入球個数に対応した相当数の賞球が払い出されることとなる（例えば、特許文献１を参照）。
【先行技術文献】
【特許文献】
【０００３】
【特許文献１】特開２００９−２６８５６６号公報
【発明の概要】
【発明が解決しようとする課題】
【０００４】
パチンコ機には、各種入賞装置に対応して通過型センサ等からなる入賞球検出器が設けられており、この入賞装置に入球する遊技球が入賞球検出器を通過することによって該入賞装置での遊技球の入賞が検出され、入球個数に応じた賞球の払い出しや当り外れの抽選等が適時実行されるようになっている。ここで、正常な遊技では原則として遊技球１球につき１回のみ入賞球検出器への通過が検出されるものであるが、近年においては、所定長さの釣糸等の糸状体を付けた遊技球を入賞装置に入球させて、該糸状体を手前に引っ張ったり奥側へ送り込んだりする不正な操作をすることで、この遊技球を入賞球検出器に何度も繰り返し通過させて（遊技球の連続入賞を検出させて）、多数の賞球を払い出させる不正入賞行為（ゴト行為）が頻発しており、その被害が大きな社会問題になってきている。そのため、遊技機メーカ各社においても、このような不正入賞行為を効果的に抑止する策を講じることが課題となっている。
【０００５】
本発明は、このような課題に鑑みてなされたものであり、釣糸等の糸状体を付けた遊技球を不正に操作して遊技球の入賞を検出させる不正入賞行為を効果的に抑止することが可能な構成の弾球遊技機を提供することを目的とする。
【課題を解決するための手段】
【０００６】
このような目的達成のために、本発明に係る弾球遊技機は、前面側に所定の遊技領域が形成された遊技盤を保持する枠部材（例えば、実施形態における前枠２）と、枠部材の前面側に開閉自在に設けられ、枠部材の少なくとも一部を覆う閉止位置と、当該一部を開放する開放位置との間で揺動する開閉部材（例えば、実施形態における上球皿３０）と、枠部材の前面側に設けられて遊技球を遊技領域に向けて打ち出す発射ユニットと、を備える弾球遊技機であって、発射ユニットは、遊技球を球送りする球送り機構と、球送り機構から球送りされた遊技球を遊技領域へ向けて打ち出す発射機構と、発射機構の側に設けられるケース本体と当該ケース本体に開閉可能に取り付けられて球送り機構の側に設けられるケース蓋とを有するケース部材（例えば、実施形態におけるユニットケース１１０）と、を備えて構成され、発射レールに近接して、球送り機構から発射機構へ通された糸状体を受容して切断可能な切断部材がケース蓋によって前面側から覆われた状態で設けられ、切断部材の主面の少なくとも一部が遊技球の発射軌道に対して略平行となるよう配置されている。
【発明の効果】
【０００７】
本発明に係る弾球遊技機によれば、糸状体の付いた遊技球を不正に操作して遊技球の入賞を検出させる不正入賞行為を効果的に抑止することが可能である。
【図面の簡単な説明】
【０００８】
【図１】本発明を適用した弾球遊技機の一例として示すパチンコ機を前方から見た斜視図である。
【図２】ガラス枠及び上球皿を横開き開放した状態のパチンコ機の斜視図である。
【図３】パチンコ機を後方から見た斜視図である。
【図４】発射ユニットを前方から見た斜視図である。
【図５】発射ユニットの正面図である。
【図６】発射ユニット平面図である。
【図７】発射ユニット側面図である。
【図８】発射ユニットの発射機構を示す斜視図である。
【図９】発射ユニットの内部構造を示す斜視図である。
【図１０】発射機構の球送り弁が球出口閉止位置である状態を示す正面図である。
【図１１】図１０の矢印XI−XIに沿って示す断面図である。
【図１２】発射機構の球送り弁が球出口開放位置にある状態を示す正面図である。
【図１３】図１２の矢印XIII−XIIIに沿って示す断面図である。
【図１４】発射ユニットの電気的構成の概要を示すブロック図である。
【図１５】発射ユニットの取付構造の概要を示す正面図である。
【図１６】発射ユニットの取付構造の概要を示す平面図である。
【図１７】発射制御基板に対する防振構造を示す断面図である。
【図１８】切断部材の側面図である。
【図１９】切断部材の作用を説明するための模式図である。
【発明を実施するための形態】
【０００９】
以下、本発明の好ましい実施形態について説明する。まず、本発明に係る弾球遊技機を適用したパチンコ機ＰＭの全体構成を図１〜図３の各図を参照しながら概要説明する。ここで、図１はパチンコ機ＰＭを前方から見た斜視図、図２は前面のガラス枠及び上球皿を横開き開放した状態のパチンコ機ＰＭの斜視図、図３はパチンコ機ＰＭを後方から見た斜視図である。
【００１０】
［パチンコ機の全体構成］
パチンコ機ＰＭは、図１に示すように、外郭方形枠サイズに構成された縦向きの固定保持枠をなす外枠１の開口前面に、これに合わせた方形枠サイズに構成されて開閉搭載枠をなす前枠２が互いの正面左側縁部に配設された上下のヒンジ機構３ａ，３ｂにより横開き開閉および着脱が可能に取り付けられ、正面右側縁部に設けられたダブル錠と称される施錠装置４を利用して常には外枠１と係合連結された閉鎖状態に保持される。
【００１１】
前枠２の前面上部側には、複層ガラスを有して略方形状をなすガラス枠５が上下のヒンジ機構３を利用して横開き開閉および着脱可能に組み付けられ、施錠装置４を利用して常には前枠２の前面を覆う閉鎖状態に保持される。ガラス枠５の背後に位置する前枠２の前面側には、遊技盤１０を着脱可能に収容する収容枠が設けられており、この収容枠の上部領域に遊技盤１０が着脱可能にセット保持され、常には閉鎖保持されるガラス枠５の複層ガラスを通して遊技盤１０の正面の遊技領域ＰＡを視認可能に臨ませるようになっている。また、前枠２の前面上部における左右には、遊技の展開状態に応じて効果音を発生させるスピーカ２１が配設されている。
【００１２】
遊技盤１０は、所定板厚の積層合板の表面にセルを貼り付けてルーター加工した化粧板を基板とし、円弧状の案内レール１１等に囲まれて遊技球が転動可能な略円形状の遊技領域ＰＡが区画形成されている。遊技領域ＰＡには、詳細図示を省略するが、多数本の遊技釘や風車とともに各種入賞装置（例えば、一般入賞装置、始動入賞装置、大入賞装置）等の遊技構成部品が取り付けられている。また、遊技領域ＰＡの下端には、各入賞装置に入賞せずに落下した遊技球を遊技盤１０の裏面側へ排出させるアウト口１２が前後に貫通して形成されている。なお、各入賞装置の入賞口に落入した遊技球は遊技盤１０の裏面側に排出され、該裏面側に設けられた入賞球検出器を通過することによって入賞が検出されるようになっている。この入賞球検出器は、遊技球の通過を検出可能な通過型センサである限り特に限定されず、例えば、近接センサ、磁気センサ、光センサ等の非接触動作型でも、マイクロスイッチのような接触動作型でもよい。
【００１３】
前枠２の前面側におけるガラス枠５の下側には、上球皿３０が正面左側に設けられたヒンジ機構２２により横開きおよび着脱可能に取り付けられ、常には正面右側に設けられたロック機構２３を利用してガラス枠５の下側において前枠２の前面下部を覆った状態で係止保持されている。また、前枠２の前面下部にはガラス枠５の背後に位置して遊技盤１０と上下に整合し得る遊技補助盤と称される補助機構部が形成されており、この遊技補助盤２５の各部に、遊技盤１０の遊技領域ＰＡに向けて遊技球を発射する発射ユニット１００、発射ユニット１００から発射された遊技球を遊技盤１０の案内レール１１に案内するレール体２８、後述する賞球払出装置４２から払い出された遊技球（賞球）を通過させる賞球連絡通路２７、遊技の展開状態に応じて効果音を発生させるスピーカ２６等が設けられている。
【００１４】
上球皿３０は、遊技補助板２５の前面を覆うように形成された当て板３１と、当て板３１の前方に突出して設けられ、遊技中に払い出された遊技球（賞球）を受容して貯留する球皿部３２とを有して形成され、さらに球皿部３２の右側（下流部）には球抜きレバー３３が取り付けられている。当て板３１の背面側には、上球皿３０を前枠２に閉止した閉鎖状態（以下「球皿閉鎖状態」と称する）で後方の賞球連絡通路２７と連絡し、賞球連絡通路２７から流入する遊技球を球皿部３２に流下させる上球皿連絡ダクト３４が後方に突出して形成されている。さらに、当て板３１の背面側には、球皿部３２に貯留された遊技球を発射ユニット１００に供給する球送りダクト３５が後方に突出して形成されている。なお、図１に示すように、球皿部３２の底部は右方に向かうにつれて下方へ傾斜するように形成されており、球皿部３２に貯留された遊技球が重力の作用により球送りダクト３５を通って発射ユニット１００へ導かれるようになっている。
【００１５】
前枠２における上球皿３０の下側には、上面開放形態の下球皿７が取り付けられている。この下球皿７は、上球皿３０の球皿部３２に貯留された遊技球がオーバーフロしたとき（すなわち、満タン状態になったとき）や、遊技者が上球皿３０の球抜きレバー３３を操作して上球皿３０から遊技球を抜いたときに、前枠２側に形成された溢れ球通路２８および下球皿出口２９を介して送られてくる遊技球を受容して貯留するようになっている。また、下球皿７の右側には、遊技球の発射操作を行う発射ハンドル８が取り付けられている。
【００１６】
前枠２の背面上部には、図３に示すように、外枠１の背面側における右上部内側の形状に合わせて逆Ｌ字形に形成された第１裏セット盤４０がヒンジ機構（図示せず）により横開き開閉および着脱可能に取り付けられており、この第１裏セット盤４０の各部に、遊技球を貯留するとともに貯留した遊技球を整列させて流下させる球貯留タンク４１、入賞状態等に基づいて遊技球を払い出す賞球払出装置４２、賞球払出装置４２から払い出された遊技球を上球皿３０へ導く球払出通路４３等の遊技球の処理機構が設けられている。
【００１７】
前枠２の背面下部には、第２裏セット盤４５がヒンジ機構（図示せず）により横開き開閉および着脱可能に取り付けられており、この第２裏セット盤４５の各部に、遊技施設側から受電して各制御基板および電気・電子部品等に電力を供給する電源基板４６、遊技球の払出動作を制御する払出制御基板４７が取り付けられている。一方、上下の裏セット４０，４５に囲まれて遊技盤１０の背面側には、パチンコ機ＰＭの作動を統括的に制御するメイン制御基板１８、パチンコ機ＰＭの機種（バージョンを含む）および遊技展開に応じた演出の制御を行うサブ制御基板１９などが設けられており、これらが図示しないハーネス（コネクタ付ハーネス）で接続されてパチンコ機ＰＭが作動可能に構成される。
【００１８】
以上のように構成されるパチンコ機ＰＭは、外枠１が遊技施設の遊技島（設置枠台）に固定設置され、前枠２、ガラス枠５、上球皿３０等が閉鎖施錠された状態で遊技に供され、上球皿３０に遊技球を貯留させて発射ハンドル８を回動操作することにより遊技が開始される。発射ハンドル８が回動操作されると、上球皿３０に貯留された遊技球が、ガラス枠５の裏面側に形成された球送りダクト３５を通って１球ずつ発射ユニット１００に送り出され、発射ハンドル８の回動操作量に応じた発射強度で発射ユニット１００によって遊技領域ＰＡに打ち出されて、以降パチンコゲームが展開される。
【００１９】
［発射ユニットの基本構成］
次に、前枠２の前面側に着脱自在に取り付けられる発射ユニット１００の基本的な構成について、図４〜図１４を追加参照しながら説明する。ここで、図４は発射ユニット１００を前方から見た斜視図、図５は発射ユニット１００の正面図、図６は発射ユニット１００の平面図、図７は発射ユニット１００の側面図、図８は発射ユニット１００の発射機構を示す斜視図、図９は発射ユニット１００の内部構造を示す斜視図、図１０は発射機構１００の球送り弁が球出口閉止位置である状態を示す正面図、図１１は図１０の矢印XI−XIに沿って示す断面図、図１２は発射機構１００の球送り弁が球出口開放位置にある状態を示す正面図、図１３は図１２の矢印XIII−XIIIに沿って示す断面図、図１４は発射ユニット１００の電気的構成の概要を示すブロック図である。なお、以下の説明においては、説明の便宜上、前後左右および上下の方向は、パチンコ機ＰＭへの取付状態での方向として、図４の状態を基準として定義しており、図４に示す矢印の方向をそれぞれ前後、左右、上下と称して説明する。
【００２０】
発射ユニット１００は、前枠２の前面側においてスピーカ２６に隣接した配設姿勢で４本の固定ネジ１０１（図１５を参照）を用いて遊技補助盤２５に着脱自在に取り付けられる。発射ユニット１００は、ユニットケース１１０、球送り機構１４０、発射機構１５０、及び発射制御基板１６０を主体として構成されている。
【００２１】
ユニットケース１１０は、遊技補助盤２５の前面側に設けられ発射機構１５０の取り付けベースとなるケース本体部材１２０と、ケース本体部材１２０の前面側に取り付けられて球送り機構１４０および発射制御基板１６０の取り付けベースとなるケース蓋部材１３０とを備えている。ユニットケース１１０には、発射機構１５０の作動によって打ち出された遊技球を通過させるための略矩形状の発射口１１１が開口形成されている。
【００２２】
ケース本体部材１２０は、ポリカーボネート（ＰＣ）やポリアセタール樹脂（ＰＯＭ）等の樹脂材料を用いて、射出成形等の成形手段により矩形板状に形成されており、その左右および上下の四隅には固定ネジを挿通可能な本体側挿入孔１２１が前後貫通して形成されている。
【００２３】
ケース蓋部材１３０は、横長に形成されたケース基壁１３１ａと、このケース基壁１３１を囲んで後方に延びる左右および上下の側壁１３１ｂとを有し、ＡＢＳ樹脂等の透明樹脂材料を用いて射出成形等の成形手段により、全体としてケース本体部材１２０と対向する方の側面が開放された後面開放の箱型に形成されている。ケース基壁１３１ａの左右および上下の四隅には、段付き孔状の蓋側挿入孔１３２が前後貫通して形成されている。ケース蓋部材１３０の左右の側壁１３１ｂには、係止片１３１ｃが形成されており、この係止片１３１ｃがケース本体部材１２０の側面に係止されることで、ケース蓋部材１３０がケース本体部材１２０に一体的に結合して施蓋されるようになっている。
【００２４】
ケース蓋部材１３０には、球送り機構１４０を収容するための第１収容室１３３ａと、発射制御基板１６０を収容するための第２収容室１３３ｂが形成されている。また、ケース蓋部材１３０には、発射制御基板１６０上に実装された４つの基板側コネクタ１６３Ｃ〜１６６Ｃをケース外方へ露出させるためのケース開口１３４がケース基壁１３１ａを表裏貫通して形成されている。このケース開口１３４は基板側コネクタ１６３Ｃ〜１６６Ｃの実装位置と対応した位置に開口されている。
【００２５】
ケース蓋部材１３０には、上球皿３０の球送りダクト３５と連絡して球送りダクト３５から送出される遊技球を受け入れる球入口１３５が形成されており、この球入口１３５からケース蓋部材１３０の内部に延びて、上球皿３０から発射機構１５０へ遊技球を流下させる球供給通路１３６が形成されている。球供給通路１３６は、球入口１３５に繋がって後方に延びる球導入路１３７と、この球導入路１３７に繋がって球導入路１３７の終端に達した遊技球を発射機構１５０に送り出す球導出路１３８とから形成されている。
【００２６】
球導入路１３７は、球入口１３５から後方（ケース本体部材１２０側）へ向けて延びその後端で閉鎖されており、前後に延びる底面１３７ａは左方の球導出路１３８に向けて下り傾斜している。そのため、球入口１３５から球導入路１３７に導入された遊技球は球導出路１３８に向けて流下する。一方、球導出路１３８の終端には球出口１３９が形成されており、この球導出路１３８に達した遊技球がこの球出口１３９を通過して発射機構１５０へ流下するようになっている。
【００２７】
球送り機構１４０には、球供給通路１３６内に整列された遊技球をこの整列順に従って１球ずつ受容して発射機構１５０に送り出す球送り弁１４１が揺動可能に設けられるとともに、この球送り弁１４１の上方には球送り弁１４１を揺動させる駆動源としての球送りソレノイド１４５が配設されている。
【００２８】
球送り弁１４１は、球導入路１３７と対向して凹状に窪んで球導入路１３７に待機する遊技球を１球ずつ受け入れ可能な球受け凹部１４２と、球受け凹部１４２の底面を形成する球誘導片１４３と、球導入路１３７内で待機する遊技球を堰き止めるための球止め片１４４とを備えている。球受け凹部１４２の底面１４１ａ（球誘導片１４３の上面）は後方に配設される発射機構１５０に向けて下り傾斜して形成される。球送り弁１４１は、ユニットケース１１０に支持される揺動ピン１４１ｃを中心として、球止め片１４４が球導入路１３７を開放して球誘導片１４３が球出口１３９を閉止する球出口閉止位置（図１０および図１１を参照）と、球止め片１４４が球導入路１３７を閉止して球誘導片１４３が球出口１３９を開放する球出口開放位置（図１２および図１３を参照）と、の間で揺動可能に構成される。
【００２９】
このように球送り弁１４１は揺動ピン１４１ｃを中心として上下に（図１０の紙面面内まわりに）揺動可能に構成されており、球送りソレノイド１４５に電流が供給されてこれが磁化されたときに、その吸引力により球送り弁１４１の上端に設けられた鉄板部１４６が吸引されて、上方の球出口閉止位置に揺動するようになっている。一方、球送りソレノイド１４５が非通電状態となると、球送り弁１４１が重力の作用により降下して球受け凹部１４２が球出口１３９と合致する球出口開放位置に揺動変位する。球送り弁１４１が球出口開放位置に変位すると、球受け凹部１４２に受容された遊技球は球出口１３９を通過して発射機構１５０における打球位置へ流下するようになっている。すなわち、球受け凹部１４２が球供給通路１３６の球導出路１３８を形成している。
【００３０】
この球送り機構１４０の球送り作動、すなわち、球送り弁１４１を揺動させる球送りソレノイド１４５のON/OFF制御は、発射制御基板１６０によって、後述する発射機構１５０のハンマー１５１を揺動させる発射ソレノイド１５４の作動と同期制御されており、発射ハンドル８の回動操作に基づいて発射機構１５０から遊技球が発射されるごとに、遊技球を１球ずつ発射機構１５０における打球位置へ送り出すようになっている。
【００３１】
発射機構１５０は、ケース本体部材１２０の前面側に位置して遊技盤１０の盤面とほぼ平行な面内で揺動可能に設けられたハンマー１５１と、ケース本体部材１２０の後面側に設けられハンマー１５１を揺動作動させる発射ソレノイド１５４と、発射された遊技球を案内レール１１に案内する発射レール部１５６とを備えている。発射ソレノイド１５４は、例えばロータリソレノイドであり、複数本のビス１５４ｂを用いてネジ止め固定されることでケース本体部材１２０の後面側に取り付けられている。発射ソレノイド１５４の駆動軸１５４ａは、ケース本体部材１２０に表裏貫通して形成された駆動軸挿通孔（図示せず）を通過してケース本体部材１２０の前面側に突出しており、この駆動軸１５４ａをハンマー１５１の軸孔（図示せず）に挿通させて駆動軸１５４ａの先端のネジ部を固定ナット１５５で螺着することにより、この駆動軸１５４ａにハンマー１５１が一体的に連結されるようになっている。このようにして、ハンマー１５１はケース本体部材１２０の前面側に取り付けられ、発射制御基板１６０からの指令信号に基づいて発射ソレノイド１５４が駆動することにより、ケース本体部材１２０の前面側で駆動軸１５４ａを中心として上下に揺動変位するようになっている。
【００３２】
ハンマー１５１は、金属製の薄板からなるハンマーアーム１５１ａと、例えばインサート成形によりハンマーアーム１５１ａの左方の周部を覆って形成された合成樹脂製の被覆部１５１ｂとを有しており、その先端部には遊技球を叩打するためのハンマーヘッド１５１ｃが形成されている。このハンマーヘッド１５１ｃの近傍にはハンマーヘッド１５１ｃ（合成樹脂）の弾発力を高めて遊技球を高弾発で発射するための空部１５１ｄが形成されている。ハンマーヘッド１５１ｃの上方にはハンマー１５１の上方への揺動を制止するための段差１５１ｅが形成されている。
【００３３】
また、ハンマー１５１に隣接してケース本体部材１２０の前面側には、ハンマーヘッド１５１ｃの打球位置から下方に退避させた揺動位置で被覆部１５１ｂを弾性的に受け止める下側ストッパ１５２や、ハンマーヘッド１５１ｃの打球位置をわずかに越えた揺動位置で被覆部１５１ｂを弾性的に受け止める上側ストッパ１５３が設けられている。そのため、ハンマー１５１は発射ソレノイド１５４の駆動軸１５４ａを中心として、被覆部１５１ｂが下側ストッパ１５２に当接して下方への揺動が規制された下方限界位置（これを「発射待機位置」と称す）と、被覆部１５１ｂが上側ストッパ１５３に当接して上方への揺動が規制された上方限界位置（これを「発射完了位置」と称する）との間で揺動可能である。なお、下側ストッパ１５２は基部１５２ａとクッション体１５２ｂとから形成され、上側ストッパ１５３は基部１５３ａとクッション体１５３ｂとから形成されている。ここで、ハンマー１５１が上側ストッパ１５３に当接したのち段差１５１ｅが後述するガイドホルダ１５７の下端に当接するように構成しているため、上側ストッパ１５３のクッション体１５３ｂに過度の衝撃が作用するのを防止できる。
【００３４】
発射レール部１５６は、ケース本体部材１２０の前面側に設けられて球送り機構１４０から供給された遊技球をハンマーヘッド１５１ｃの打球位置に合わせて一時保持するガイドホルダ１５７と、ケース本体部材１２０と一体に形成された取付基台１２２に螺着された側断面視Ｖ字状の発射レール１５８と、発射レール１５８の近傍に設けられファール球が発射レール１５８に衝突するのを防止するためのガイド部材１５９とを備えている。発射レール１５８は、ケース本体部材１２０と一体的に形成された基台１２２に螺着されて、ガイドホルダ１５７による遊技球の保持位置から右斜め上方に延びており、その延長線上にはユニットケース１１０に開口された発射口１１１が位置している。
【００３５】
発射制御基板１６０は、主として遊技球の発射（発射強度や発射タイミング等）の制御を司るための基板であり、矩形板状のプリント配線板１６１を基板とし、このプリント配線板１６１に制御モジュール１６２やコネクタ１６３Ｃ〜１６６Ｃ等の電気・電子部品が実装されて発射制御回路が形成されている。この発射制御基板１６０には、図１４に示すように、払出制御基板４７、発射ハンドル８（これに内蔵された発射ボリューム８ａ及びタッチセンサ８ｂ）、球送りソレノイド１４５、発射ソレノイド１５４などがハーネス１７３〜１７６（図１５を参照）を介して電気的に接続されている。ここで、発射ボリューム８ａは、例えばポテンショメータ等の角度検出器からなり、発射ハンドル８の回動操作量を検出する。また、タッチセンサ８ｂは、遊技者が発射ハンドル８に接触しているか否かを検出する。
【００３６】
第１の基板側コネクタ１６３Ｃ（入力端子）は、払出制御基板４７と電気接続するためのコネクタであり、払出制御基板４７に電気的に繋がったハーネス１７３の端部に形成されたハーネス側コネクタ１７３Ｃと嵌合・抜脱可能に接続されるようになっており、これにより発射制御基板１６０は払出制御基板４７と双方向又は一方向に通信可能になっている。
【００３７】
第２の基板側コネクタ１６４Ｃ（入力端子）は、発射ハンドル８の発射ボリューム８ａ及びタッチセンサ８ｂ等と電気接続するためのコネクタであり、発射ハンドル８に電気的に繋がったハーネス１７４の端部に形成されたハーネス側コネクタ１７４Ｃと嵌合・抜脱可能に接続されるようになっている。発射制御基板１６０は、タッチセンサ８ｂからの検出信号に基づいて遊技者が発射ハンドル８に接触しているか否かを判定し、発射ボリューム８ａからの検出信号に基づいて発射ハンドル８の回動操作量を検出し、これら検出信号に従って球送りソレノイド１４５および発射ソレノイド１５４の駆動を同期的に制御する。
【００３８】
第３の基板側コネクタ１６５Ｃ（出力端子）は、球送りソレノイド１４５と電気接続するためのコネクタであり、球送りソレノイド１４５に電気的に繋がったハーネス１７５の端部に形成されたハーネス側コネクタ１７５Ｃと嵌合・抜脱可能に接続されるようになっており、これにより発射制御基板１６０は球送りソレノイド１４５に一定の周期で駆動信号を出力する。
【００３９】
第４の基板側コネクタ１６６Ｃ（出力端子）は、発射ソレノイド１５４と電気接続するためのコネクタであり、発射ソレノイド１５４に電気的に繋がったハーネス１７６の端部に形成されたハーネス側コネクタ１７６Ｃと嵌合・抜脱可能に接続されるようになっており、これにより発射制御基板１６０は球送りソレノイド１４５の駆動と同期をとって発射ソレノイド１５４に駆動信号を出力する。
【００４０】
なお、基板側コネクタ１６３Ｃ〜１６６Ｃとハーネス側コネクタ１７３Ｃ〜１７６Ｃとの各組で雌雄嵌合型のコネクタを形成しており、これらコネクタの嵌合及び抜脱方向は基板の面内に沿った左右方向に設定されている（つまり、両コネクタにおける接続ピンの配列方向は基板直交方向に設定されている）。
【００４１】
このように概要構成される発射ユニット１００において、遊技者が発射ハンドル８を操作していない非操作時においては、タッチセンサ８ｂの出力信号は遊技者の接触が検出されていない非接触状態であり、発射制御基板１６０は遊技者が遊技を行っていない待機状態であると判断し、球送り機構１４０および発射機構１５０の作動をオフする。つまり、発射制御基板１６０からの指令によって、発射機構１５０の発射ソレノイド１５４は非通電状態となっているため、ハンマー１５１は自重により降下して発射待機位置で停止している。
【００４２】
一方、遊技者が発射ハンドル８を把持し回動操作すると、タッチセンサ８ｂの出力信号は遊技者の接触が検出された接触状態となり、上球皿３０に貯留された遊技球が球送り機構１４０により１球ずつ発射レール１５８の打球位置に留置されるとともに、球送り機構１４０の球送りソレノイド１４５と同期制御される発射ソレノイド１５４が励磁されて上方へ揺動作動され、発射ハンドル８の回動操作量（発射ボリューム８ａの検出値）に応じた発射強度で遊技球が遊技領域ＰＡに向けて打ち出される。
【００４３】
次に、以上のように概要構成される発射ユニット１００の特徴構成について適宜図面を参照しながら説明する。ここで、図１５は遊技補助盤２５に取り付けられた発射ユニット１００の取付構造の概要を示す正面図、図１６は遊技補助盤２５に取り付けられた発射ユニット１００の取付構造の概要を示す平面図、図１７は発射制御基板１６０に対する防振構造を示す断面図、図１８は切断部材の側面図、図１９は切断部材の作用を説明するための模式図である。
【００４４】
［発射ユニットの取付構造I］
既述したように、発射ユニット１００において、ケース本体部材１２０には発射機構１５０が取り付けられ、ケース蓋部材１３０には球送り機構１４０および発射制御基板１６０が取り付けられている。この発射ユニット１００を組み立てるには、これらの機構部品および制御基板を両ケース部材１２０，１３０によって覆うようにしてケース本体部材１２０の前面側からケース蓋部材１３０を重ね合わせることで、ケース蓋部材１３０の係止片１３１ｃがケース本体部材１２０の側面に係止されて、ケース本体部材１２０とケース蓋部材１３０とが連結し、これにより一体化した単体としての発射ユニット１００が得られる。
【００４５】
この発射ユニット１００は、４本の固定ネジ１０１を用いて前枠２の遊技補助盤２５にネジ止め固定される。前述したように、ケース本体部材１２０には左右および上下の４箇所に本体側挿入孔１２１が形成されており、ケース蓋部材１３０には本体側挿入孔１２１に位置整合して左右および上下の４箇所に蓋側挿入孔１３２が形成されている。これに対して遊技補助盤２５の前面側には、本体側および蓋側挿入孔１２１，１３２に位置整合する４箇所の各位置にネジ孔（図示せず）を有するネジボス２５１が前方に向けて突出形成されるとともに、４本のネジボス２５１を結ぶ対角線の交点近傍には前枠２（遊技補助盤２５）を前後貫通してハーネス１７３の通過路となるハーネス通過口２５２が形成されている。
【００４６】
発射ユニット１００を遊技補助盤２５に取り付けるためには、発射ユニット１００の後面側（ケース本体部材１２０側）を各ネジボス２５１の頂部に対向させた状態で、発射ユニット１００の前面側（ケース蓋部材１３０側）から４本の固定ネジ１０１を本体側および蓋側挿入孔１２１，１３２に挿入してネジボス２５１のネジ孔に螺合させることで、発射ユニット１００がネジボス２５１の頂部に当接された立設姿勢で遊技補助盤２５にネジ止め固定される。発射ユニット１００はネジボス２５１の頂部に当接して遊技補助盤２５に対してネジボス２５１の高さ分の間隔をあけて固定されているので、この間隔内にケース本体部材１２０から後方に突出する発射ソレノイド１５４を収めることができる。
【００４７】
このとき、前枠２の正面側に配設された発射制御基板１６０と前枠２の背面側（すなわち、裏セット盤４０）に配設された払出制御基板４７とは、払出制御基板４７に電気的に繋がるハーネス１７３のハーネス側コネクタ１７３Ｃが発射制御基板１６０上に実装された基板側コネクタ１６３Ｃに結合されることで電気接続されるようになっており、これにより両制御基板４７，１６０間の信号伝送が可能となる。
【００４８】
このように基板側コネクタ１６３Ｃとハーネス側コネクタ１７３Ｃとが結合状態において、これに繋がるハーネス１７３は、発射ユニット１００の左側の側面に沿って後方に向けて延びてからＬ字状に内側に屈曲して発射ユニット１００の後面に沿って引き回され、遊技補助盤２５に開口されたハーネス通過口２５２を通って前枠２の背面側に（すなわち、第２裏セット盤４５に配設された払出制御基板側４７へ向けて）引き出されている。
【００４９】
従って、発射ユニット１００の正面側から見てハーネス１７３をほとんど露出させずにハーネス通過口２５２から前枠２の裏面側に引き回すことができるため、パチンコ機ＰＭの正面側からハーネス１７３に対してアクセスすることは非常に困難となる。そのため、ハーネス１７３を引張ることで基板側コネクタ１６３Ｃからハーネス側コネクタ１７３Ｃを引き抜くのを困難にでき、発射制御基板１６０に対する不正行為を効果的に防止することが可能である。
【００５０】
［発射ユニットの取付構造II］
発射ユニット１００が遊技補助盤２５の前面側に取り付けられた状態において、発射ユニット１００とスピーカ２６とは互いに近接して配置されている。より具体的には、ケース蓋部材１３０の左側の側壁１３１ｂとスピーカ２６の右側の側壁２６ａとの間には、ハーネス１７３を通すだけの間隔しか形成されておらず、基板側コネクタ１６３Ｃからハーネス側コネクタ１７３Ｃを引き抜こうとしても、発射ユニット１００とスピーカ２６との間には基板側コネクタ１６３Ｃに対してハーネス側コネクタ１７３Ｃを抜去方向（左方向）に移動させるだけの十分なスペースがないため、両コネクタ１６３Ｃ，１７３Ｃの電気接続を解除することが規制される。
【００５１】
従って、発射ユニット１００を前枠２の遊技補助盤２５から取り外すことなく基板側コネクタ１６３Ｃからハーネス側コネクタ１７３Ｃを引き抜くことを困難にでき、発射制御基板１６０に対する不正行為を効果的に防止することが可能である。
【００５２】
［発射ユニットの取付構造III］
既述したように、発射ユニット１００が取り付けられた遊技補助盤２５の前方には、上球皿３０がヒンジ機構２２により横開き開閉可能に取り付けられており、パチンコ機ＰＭが遊技に供されている状態では、球皿施錠装置２３を利用して遊技補助盤２５の前面を覆う球皿閉止状態に保持される。この球皿閉止状態では、発射ユニット１００と上球皿３０の当て板３１とは前後方向に対向しており、発射ユニット１００の前端部と当て板３１の後端部との間には、発射ユニット１００と上球皿６との相互間における振動の伝達を抑止するための所定の間隔があくように構成されている。すなわち、球皿閉止状態において、発射ユニット１００と当て板３１とは接触していない。
【００５３】
ここで、発射ユニット１００と上球皿３０との間に形成される間隔の大きさは、発射ユニット１００を開放するためにケース本体部材１２０からケース蓋部材１３０を前後方向に相対的に移動させる（離間させる）ための相対移動量よりも小さく形成されている。例えば、上球皿６と発射ユニット１００との間の最短距離となる間隔Ｃ１、すなわち、上球皿６の後面側に形成された球送りダクト３５と発射ユニット１００におけるケース蓋部材１３０との間の前後距離Ｃ１は、ユニットケース１１０を開放させるために十分な大きさの間隔ではない。
【００５４】
従って、発射ユニット１００のユニットケース１１０を開放させようとしても、ケース本体部材１２０に対するケース蓋部材１３０の相対移動は上球皿３０の背面（球送りダクト３５）によって規制されるので、上球皿６を遊技補助盤２５（前枠２）に対して開放させることなく、発射ユニット１００のユニットケース１１０を開放させることを困難にでき、発射ユニット１００（主として、発射制御基板１６０）に対する不正行為を効果的に防止することが可能である。
【００５５】
また、上球皿３０の当て板３１と発射ユニット１００のケース基壁１３１ａとの間隔Ｃ２の大きさを、発射ユニット１００を固定するための固定ネジ（雄ネジ）１０１と遊技補助盤２５のネジボス２５１のネジ孔（雌ネジ）との螺合長さよりも小さく形成して、球皿閉止状態において固定ネジ１０１を外せないようにすることで、上球皿３０を開放することなく発射ユニット１００を遊技補助盤２５から取り外すことを困難にでき、発射ユニット１００に対する不正行為をより確実に防止することが可能となる。
【００５６】
［発射制御基板に対する防振構造］
発射ユニット１００に内蔵される発射制御基板１６０は振動を嫌う構成であるため、本実施形態では、発射機構１５０が作動した際の振動が発射制御基板１６０に伝達するのを防止するために、防振部材１８０による取り付け構造を採用している。発射制御基板１６０は、発射機構１５０からの振動が伝達され難いように、発射機構１５０が取り付けられるケース本体部材１２０ではなく、相手方のケース蓋部材１３０に取り付けられるようになっている。
【００５７】
発射制御基板１６０のプリント配線板１６１には、この発射制御基板１６０をケース蓋部材１３０にビス止め固定するための基板取付孔１６８が表裏貫通して４箇所だけ形成されている。これに対して、ケース蓋部材１３０には制御モジュール１６２を収容するための第２収容室１３３ｂを区画形成するホルダ部１３１ｄが後方に突出形成されており、このホルダ部１３１ｄに発射制御基板１６０を防振部材１８０（詳細後述）を介在させてビス止めするためのネジ孔（図示せず）が基板取付孔１６８と同一のピッチで４箇所だけ形成されている。
【００５８】
ホルダ部１３１ｄには、発射制御基板１６０のプリント配線板１６１の外縁部よりも幾分大きめの内縁寸法を有してホルダ部１３１ｄの側方から後方に突出して延びる囲壁部１３１ｅが一体的に形成されている。この囲壁部１３１ｅは、発射制御基板１６０をケース蓋部材１３０に取り付ける際の位置決め基準として機能し、発射制御基板１６０の外縁部を囲壁部１３１ｅの内縁部に合わせて挿入したときに、プリント配線板１６１の基板取付孔１６８とホルダ部１３１のネジ孔（図示せず）とが位置整合するため、基板取り付け用のビス１６９を容易に挿入し得るようなっている。また、このとき、プリント配線板１６１に実装された４箇所の基板側コネクタ１６３Ｃ〜１６６Ｃがケース蓋部材１３０のケース開口１３４と位置整合してケース外方へ露出されるようになっている。
【００５９】
防振部材１８０は、外部からの振動を減殺可能な程度の弾性材料（例えば、ゴムや軟質合成樹脂など）を用いて中空円筒状に形成されたワッシャーであり、その中心に基板取付用のビス１６９を挿入可能なビス挿入孔（図示せず）を有して構成されている。
【００６０】
発射制御基板１６０を組み付けるには、発射制御基板１６０を４箇所の防振部材１８０上に載置した状態で、この払出制御基板１６０の裏面側からビス１６９をプリント配線板１６１の基板取付孔１６８および防振部材１８０のビス挿入孔に挿入したのちホルダ部１３１ｄのネジ孔に螺合させることでケース蓋部材１３０の内面側に取り付けられる。
【００６１】
従って、発射制御基板１６０は防振部材１８０を介してケース蓋部材１３０に取り付けられることになり、ケース本体部材１２０とケース蓋部材１３０とが結合状態において発射機構１５０の作動時に発生する振動が防振部材１８０により吸収されて発射制御基板１６０に伝達するのが防止される。
【００６２】
［糸つりゴト対策］
パチンコ機ＰＭにおいて正常な遊技では原則として遊技球１球につき１回のみ入賞検出器への通過が検出されるものであるが、近年においては、入賞装置に落入した１個の遊技球を不正な操作によって入賞検出器の検出口に連続して通過させて、多数の賞球を払い出させる不正入賞行為（いわゆる「糸つりゴト」と称されるゴト行為）が頻発している。
【００６３】
この代表的な手口を概要説明すると、まず、所定長さを有する釣糸等の糸状体の一端側を遊技球に固着させ、この糸状体の他端側を不正行為者自身が掌で掴み、このような細工を施した遊技球（以下において「糸付球」と称する）を球皿部３２に貯留された他の遊技球の間に忍ばせて、他の遊技球とともに球皿部３２から１球ずつ順番に発射ユニットへ供給させ、発射機構により打ち出して遊技盤１０の遊技領域ＰＡ内へ送り込む。糸付球が遊技領域ＰＡまで達すると、ガラス枠５の外側から強力な磁石を用いてこの糸付球を入賞装置（１回の賞球数が最も多い一般入賞装置が狙われ易い傾向にある）まで誘導して当該入賞装置の入賞口へ落入させる。糸付球が入賞口から流下して入賞球検出器の検出口を通過すると、この検出信号に基づいてメイン制御基板１８により遊技球の入賞が検出されて、払出制御基板４７により入賞条件に応じた個数の賞球が賞球払出装置４２から上球皿３０へ払い出されることになる。不正行為者は、このように賞球が払い出されたことをもって、糸付球がターゲットである入賞球検出器へ到達したことを認識し、自身の掌に掴んでいる糸状体の他端側を手前に引っ張ったり奥側へ送り込んだりする操作をして、糸状体を入賞球検出器の検出口に何度も繰り返し通過させることで、遊技球の連続入賞を不正に検出させて多数の賞球を獲得している。これが最近になって頻発している糸付球を用いた不正入賞行為の全貌である。
【００６４】
そこで、このような不正入賞行為を防止すべく、発射ユニット１００には球送り機構１４０に不正防止具（詳細は後述する切断部材１９０）が設けられている。
【００６５】
ユニットケース１１０のケース蓋部材１３０に形成される球供給通路１３６は、上流側の球導入路１３７から下流側の球導出路１３８に向けて概ね左右方向に延びているが、球導出路１３８における球出口１３９の部分では延伸方向が直角に（前後方向）に折れ曲がる。したがって、球送り機構１４０による発射機構１５０への球送り方向は実質的にみて前後方向とみなすことができる。一方、球出口１３９の下流側にある発射レール１５８はハンマー１５１の打球位置から発射口１１１へ向けて左斜め上方に延びているため、発射機構１５０による遊技球の発射方向は左斜め上方向とみなすことができる。このように、発射ユニット１００内の球通路において、球送り機構１４０の球通路（球導出路１３８）と発射機構１５０の球通路（発射レール１５８）とにおける当該通路方向が切り替わる方向転換部に、より具体的には、球送り機構１４０における球出口１３９の近傍に、球供給通路１３６に通された糸状体Ｉを受容してこれを切断可能な切断部材１９０が設けられている。
【００６６】
切断部材１９０は、炭素鋼やステンレス鋼等の金属材料を用いて薄板状に形成されており、本体部１９１と、この本体部１９１の開放端１９２に形成された谷部１９３と、この谷部１９３の底部１９３ａから連続して細溝状に形成されたＶ字溝１９５と、を備えている。本体部１９１には、一対の開放端１９２，１９２から内側に向けて傾斜形成された斜辺１９２ａ，１９２ａが形成され、これら斜辺１９２ａ，１９２ａによって漸次幅が狭くなるような谷部１９３が形成されている。Ｖ字溝１９５には、互いに対向する板片１９１ａ，１９１ａに沿って刃先線が延びる刃部１９５ａ，１９５ａが形成されており、この対向する刃部１９５ａ，１９５ａはＶ字溝１９５に受容された糸状体を切断し得るように構成されている。この切断部材１９０は、基端側の取付部１９１ｂをスポット溶接等の手段により球供給通路１３６の奥壁１３６ａに固着して取り付けられている（図１１および図１３を参照）。
【００６７】
続いて、切断部材１９０の作用について概要説明する。上球皿３０に貯留された遊技球の中に糸付球ＢＩが存在すると、当該糸付球ＢＩは他の遊技球（正当な遊技球）とともに上球皿３０から球送りダクト３５を通って球供給通路１３６を流下し、球送り機構１４０により１球ずつ発射レール１５８の発射位置に送出され、発射機構１５０のハンマー１５１により遊技領域ＰＡに向けて打ち出される。このとき、糸付球ＢＩに固着された糸状体Ｉは、球供給通路１３６から発射レール１５８に通された状態で、不正行為者によって引っ張れると、発射機構１５０のハンマー１５１による打撃の勢いにより真っ直ぐ伸びようとする張力が生じる。このとき、発射ユニット１００内の球通路において、球送り機構１４０の球通路（球導出路１３８）と発射機構１５０の球通路（発射レール１５８）とにおける当該通路方向が切り替わる方向転換部に、すなわち、球出口１３９の近傍に開放端１９２を打球位置側に向けて切断部材１９０が設けられているため、発射機構１５０により打ち出された糸付球ＢＩに繋がる糸状体Ｉは、切断部材１９０の開放端１９２から進入し、谷部１９３を形成する斜辺１９２ａのいずれかに当接して谷部１９３の底部１９３ａに導かれる。そして、糸状体Ｉは、この谷部１９３から連続して形成されたＶ字溝１９５内に入り込み、その動作を規制されつつ刃部１９５ａに接触して切断される。
【００６８】
従って、不正行為者が操作する糸状体Ｉを容易に切断部材１９０に接触させて切断することができるため、糸付球ＢＩを不正に操作して遊技球の入賞を検出させる不正入賞行為を効果的に抑止することが可能である。
【００６９】
以上説明した本実施形態において達成される主要な効果を整理すれば、下記のようになる。
【００７０】
第１に、前枠２の遊技補助盤２５には、発射ユニット１００が当該遊技補助盤２５に固定ネジ１０１によってネジ止め固定されたときに、パチンコ機ＰＭ正面（前方）から見て発射ユニット１００によって隠蔽される位置に発射制御基板１６０と払出制御基板４７とを電気接続するハーネス１７３を通過させるハーネス通過口２５２が形成されている。従って、発射ユニット１００の正面側から見てハーネス１７３をほとんど露出させずにハーネス通過口２５２から前枠２の裏面側に引き回すことができるため、パチンコ機ＰＭの正面側からハーネス１７３に対してアクセスすることは非常に困難となる。そのため、ハーネス１７３を引張ることで基板側コネクタ１６３Ｃからハーネス側コネクタ１７３Ｃを引き抜くのを困難にでき、発射制御基板１６０およびハーネス１７３に対する不正行為を効果的に防止することが可能である。
【００７１】
第２に、前枠２の前面側において発射ユニット１００の近傍には、基板側コネクタ１６３Ｃに対するハーネス側コネクタ１７３Ｃの抜脱を規制するスピーカ２６が近接して配置されているため、発射ユニット１００を前枠２の遊技補助盤２５から取り外すことなく基板側コネクタ１６３Ｃからハーネス側コネクタ１７３Ｃを引き抜くことを困難にでき、発射制御基板１６０に対する不正行為を効果的に防止することが可能である。
【００７２】
第３に、ユニットケース１１０の前面と上球皿３０（球送りダクト３５）の後面とは所定の間隔Ｃ１を有して離間しており、この間隔Ｃ１は上球皿６が前枠２の遊技補助盤２５を閉止する閉止位置にあるとき、ケース本体部材１２０に対するケース蓋部材１３０の開放を阻止する大きさ（ここでの大きさは「距離」である）に形成されている。従って、発射ユニット１００のユニットケース１１０を開放させようとしても、ケース本体部材１２０に対するケース蓋部材１３０の相対移動は上球皿３０の背面（球送りダクト３５）によって規制されるので、上球皿６を遊技補助盤２５（前枠２）に対して開放させることなく、発射ユニット１００のユニットケース１１０を開放させることを困難にでき、発射ユニット１００（主として、発射制御基板１６０）に対する不正行為を効果的に防止することが可能である。また、外的要因による発射ユニット１００の破損を防止することができる。
【００７３】
第４に、発射機構１５０はケース本体部材１２０に取り付けられ、払出制御基板１６０は相手方のケース蓋部材１３０に発射機構１５０の作動により発生する振動を吸収可能な防振部材１８０を介在させて取り付けられている。従って、発射制御基板１６０は防振部材１８０を介してケース蓋部材１３０に取り付けられることになり、ケース本体部材１２０とケース蓋部材１３０とが結合状態において発射機構１５０の作動時に発生する振動が防振部材１８０により吸収されて発射制御基板１６０に伝達するのが防止される。
【００７４】
第５に、球送り機構１４０に形成されて当該球送り機構１４０から発射機構１５０へ遊技球を送出する球導出路（第１球通路）１３８と、発射機構１５０に形成されて発射口１１１に向かって延出する発射レール（第２球通路）１５８と、における当該通路方向が切り替わる方向転換部の近傍に、すなわち、球出口１３９の近傍に球通路１３８，１５８に通された糸状体を受容して切断可能な切断部材１９０が設けられているため、不正行為者により引っ張られて、あるいは発射機構１５０のハンマーによる打撃の勢いにより真っ直ぐ伸びようとする（張力が生じる）糸状体Ｉを、容易に切断部材１９０に接触させて切断することができる。従って、釣糸等の糸状体Ｉを付けた遊技球を不正に操作して遊技球の入賞を検出させる不正入賞行為を効果的に抑止することが可能である。
【００７５】
なお、本発明は、上記実施形態に限定されるものではなく、本発明の要旨を逸脱しない範囲であれば適宜改良可能である。
【００７６】
上述の実施形態では、前枠２の前面側において発射ユニット１００の近傍に、基板側コネクタ１６３Ｃに対するハーネス側コネクタ１７３Ｃの抜脱を規制するための規制手段として、スピーカ２６の側壁２６ａを適用した場合を例示して説明したが、これに限定されるものではなく、例えば、発射ハンドルから空気を送り出すための送風機などの他のユニットの側壁を適用したり、前枠２に一体形成された壁部を規制手段として適用してもよい。
【００７７】
上述の実施形態では、ケース本体部材１２０に対するケース蓋部材１３０の開放を阻止するように、ケース蓋部材１３０の前面側に当接する上球皿３０の阻止部材として、上球皿３０に貯留する遊技球を発射ユニット１００に導く球送りダクト３５に適用した場合を説明したが、これに限定されるものではなく、上球皿３０の背面から後方に突出する突起部を形成してもよい。また、上球皿３０の当て板３１自体、すなわち当て板３１の背面（フラット面）をケース蓋部材１３０の開放を阻止する阻止部材として適用してもよい。また、当て板３１の背面はフラット面である必要はなく、発射ユニットの前端形状に合わせて所定の間隔が形成されるような凹凸形状にしてもよい。
【００７８】
また、上述の実施形態では、発射制御基板１６０を発射ユニット１００内に収容保持される基板として構成した場合を例示して説明したが、これに限定されるものではなく、発射制御基板を第２裏セット盤４５に配設して、この発射制御基板と発射ソレノイド等との間で電気接続される中継基板を発射ユニット内に収容保持される基板として構成してもよい。
【００７９】
また、上述の実施形態では、ケース本体部材１２０に発射機構１５０を備え、ケース蓋部材１３０に球送り機構１４０および発射制御基板１６０を備えた構成を例示して説明したが、これに限定されるものではなく、発射機構、球送り機構および発射制御基板を適宜に配置してよい。
【００８０】
また、上述の実施形態では、発射制御基板１６０に実装された基板側コネクタ１６３ｃ〜１６６ｃはユニットケース１１０のケース開口１３４から外方に露出しているが、これに限定されるものではなく、基板側コネクタをユニットケース内に収容された状態で取り付けて、相手方のハーネス側コネクタをユニットケースのケース開口からケース内に挿入して基板側コネクタと嵌合および抜去可能に構成してもよい。
【００８１】
また、上述の実施形態では、発射制御基板１６０はケース蓋部材１３０に固定されてユニットケース１１０内に収容されているが、これに限定されるものではなく、例えば、発射制御基板全体をユニットケースの外面に露出した状態で取り付けて構成してもよい。
【００８２】
また、上述の実施形態では、発射ユニット１００は４本のネジボス２５１を介して前枠２から前方に浮いた状態で取り付けられ、ユニットケース１１０の後面と前枠２の前面との間の空いたスペースに発射ソレノイド１５４を収容するように構成されているが、これに限定されるものではなく、前枠に発射ソレノイドを収容可能な収容空間（例えば、貫通孔又は凹部）を形成して、ユニットケースの後面と前枠の前面とがほぼ面一の状態で、発射ユニットを前枠に取り付け可能に構成してもよい。なお、このときハーネスを前枠に挿通させるハーネス通過口は、上記収容空間と一体的に形成してもよいし、上記収容空間とは独立して形成してもよく、例えば、ハーネス通過口をユニットケースの後面の周縁部と前枠２の前面とが当接しない部分に形成することで、ハーネスをユニットケースの後面側に引き回してハーネス通過口を通すことができる。
【００８３】
また、上述の実施形態では、ガラス枠５と上球皿３０とが別体として構成され、それぞれが前枠２に対して独立して横開き開閉可能な構成を例示して説明したが、これに限定されるものではなく、ガラス枠に球皿（上球皿および下球皿又は一体皿）を一体的に形成して構成してもよく、この場合にはガラス枠が請求の範囲に規定する開閉部材に相当することになる。
【００８４】
また、上述の実施形態では、発射制御基板１６０とケース蓋部材１３０との取付部に防振部材１８０を装着しているが、これに限定されるものではなく、ケース本体部材１２０とケース蓋部材１３０との取付部に防振部材を装着する構成であっても、発射機構作動時の振動が発射制御基板に伝達されるのを抑止することができる。
【００８５】
また、糸状体を切断する切断部材としては本実施形態で例示した切断部材１８０の形状に限定されず、釣り糸等の糸状体を切断し得るものであれば、切れ刃を有するカッターや、ヤスリ等の研磨具などの一般的な工具を利用してもよい。
【００８６】
また、上述の実施形態では、発射機構１５０のハンマー作動手段としてロータリソレノイド１５４が適用されているが、これに限定されるものではなく、パルスモータやサーボモータ、ＡＣモータ、ＤＣモータ等の電動アクチュエータを利用するものであってもよい。
【００８７】
また、上述の実施形態では、本発明を上球皿３０と下球皿７とを有する球皿別体型のパチンコ機ＰＭに適用した場合を例示して説明したが、これに限定されるものではなく、単一の球皿のみを有する球皿一体型のパチンコ機に適用してもよい。
【００８８】
なお、上述の実施形態では、本発明をパチンコ機に適用した事例について説明したが、アレンジボール機や雀球遊技機などの他の遊技機に適用することができ、同様の効果を得ることができる。
【符号の説明】
【００８９】
ＰＭ  パチンコ機（弾球遊技機）
ＰＡ  遊技領域
Ｉ  糸状体
１  外枠
２  前枠（枠部材）
５  ガラス枠
８  発射ハンドル
１０  遊技盤
１８  メイン制御基板
１９  サブ制御基板
２５  遊技補助盤
２６  スピーカ
３０  上球皿（開閉部材）
３２  球皿部
３５  球送りダクト
４７  払出制御基板（第１基板）
１００  発射ユニット
１１０  ユニットケース（ケース部材）
１１１  発射口
１２０  ケース本体部材
１３０  ケース蓋部材
１３４  ケース開口
１３８  球導出路（第１球通路）
１４０  球送り機構
１４５  球送りソレノイド
１５０  発射機構
１５４  発射ソレノイド
１５８  発射レール（第２球通路）
１６０  発射制御基板（第２基板）
１６３Ｃ  基板側コネクタ
１７３  ハーネス
１７３Ｃ  ハーネス側コネクタ
１８０  防振部材
１９０  切断部材
２５２  ハーネス通過口
【図１】
0005641543.tif 000002
【図２】
0005641543.tif 000003
【図３】
0005641543.tif 000004
【図４】
0005641543.tif 000005
【図５】
0005641543.tif 000006
【図６】
0005641543.tif 000007
【図７】
0005641543.tif 000008
【図８】
0005641543.tif 000009
【図９】
0005641543.tif 000010
【図１０】
0005641543.tif 000011
【図１１】
0005641543.tif 000012
【図１２】
0005641543.tif 000013
【図１３】
0005641543.tif 000014
【図１４】
0005641543.tif 000015
【図１５】
0005641543.tif 000016
【図１６】
0005641543.tif 000017
【図１７】
0005641543.tif 000018
【図１８】
0005641543.tif 000019
【図１９】
0005641543.tif 000020